(57)【要約】【課題】リーフスプリングの一端が筐体から外れることを防止でき、好適に電磁シールドを形成することを可能にするリーフスプリングの取付構造を提供する。【解決手段】遮断対象物２を囲繞するように配設された筐体８とシールド接続部３とを電気的に接続し、電磁シールドを形成するためのリーフスプリングの取付構造Ｂであって、筐体８の遮断対象物２側の内面８ａから外面８ｂに貫通形成されたリーフスプリング挿通孔１０と、リーフスプリング９とを備えて構成する。また、リーフスプリング９は、筐体８の外面８ｂに固着される固定部１１と、リーフスプリング挿通孔１０を通じて筐体８の外面８ｂ側から内面８ａ側に延設される挿通部１２と、筐体８の内面８ａに当接する当接部１３と、シールド接続部３に向けて延設される延出部１４と、シールド接続部３に当接する接触部１５とを備えて形成する。【選択図】図７
2016186981.tif 000002
【特許請求の範囲】
【請求項１】
遮断対象物を囲繞するように配設された筐体とシールド接続部とを電気的に接続し、電磁シールドを形成するためのリーフスプリングの取付構造であって、
前記筐体の前記遮断対象物側の内面から外面に貫通形成されたリーフスプリング挿通孔と、前記リーフスプリングとを備え、
前記リーフスプリングが、該リーフスプリングの一端を形成し、前記筐体の外面に固着される固定部と、前記固定部に繋がり、前記リーフスプリング挿通孔を通じて前記筐体の外面側から内面側に延設される挿通部と、前記挿通部に繋がり、前記筐体の内面に当接する当接部と、前記当接部に繋がり、前記シールド接続部に向けて延設される延出部と、前記延出部に繋がって該リーフスプリングの他端を形成するとともに前記シールド接続部に当接する接触部とを備えて形成され、
前記シールド接続部に前記接触部が当接すると、前記筐体の内面に当接した前記当接部が支点となって前記接触部及び前記延出部が弾性変形するように構成されていることを特徴とするリーフスプリングの取付構造。
【請求項２】
請求項１記載のリーフスプリングの取付構造において、
前記シールド接続部に前記接触部が当接して前記リーフスプリングが弾性変形するとともに、前記弾性変形に伴って前記固定部に、該固定部を前記筐体に押圧する方向の力が作用するように構成されていることを特徴とするリーフスプリングの取付構造。
【請求項３】
請求項１または請求項２に記載のリーフスプリングの取付構造において、
前記シールド接続部に前記接触部が当接する前の状態で前記当接部と前記筐体の内面との間に隙間が設けられ、
前記隙間は、前記シールド接続部に前記接触部が当接して弾性変形する弾性変形量よりも小さな寸法で設定されていることを特徴とするリーフスプリングの取付構造。
【請求項４】
請求項１から請求項３のいずれか一項に記載のリーフスプリングの取付構造において、
前記固定部が前記リーフスプリング挿通孔よりも大きく形成されていることを特徴とするリーフスプリングの取付構造。
【請求項５】
請求項１から請求項４のいずれか一項に記載のリーフスプリングの取付構造において、
前記シールド接続部がコネクタであることを特徴とするリーフスプリングの取付構造。
【請求項６】
請求項１から請求項５のいずれか一項に記載のリーフスプリングの取付構造において、
前記リーフスプリングがステンレス又はりん青銅を用いて形成されていることを特徴とするリーフスプリングの取付構造。
【発明の詳細な説明】
【技術分野】
【０００１】
本発明は、リーフスプリングの取付構造に関する。
【背景技術】
【０００２】
従来、例えば画像表示装置など、一端を筐体側に、他端を筐体内の回路基板や回路基板に取り付けられたコネクタのシェル等（シールド接続部）に弾性変形させつつ接触させ、リーフスプリングによって筐体とコネクタ等を電気的に繋ぐことでＥＭＩ（電磁妨害：Electro-Magnetic Interference）を低減する手段が多用されている（例えば、特許文献１「接触片３２，３３」参照）。
【０００３】
また、このリーフスプリングは、回路基板やコネクタ側を向く筐体の内面に一端をカシメ固定などして固着し、回路基板やコネクタ側に他端側を延出させて配設される。そして、このリーフスプリングが筐体を所定位置に設置するとともに、他端側をコネクタ等に接触させて筐体とコネクタ等を電気的に接続することにより、電磁シールドを形成することが可能になる。
【先行技術文献】
【特許文献】
【０００４】
【特許文献１】特開２００２−３２０３６６号公報
【発明の概要】
【発明が解決しようとする課題】
【０００５】
しかしながら、図９に示すように、上記従来のリーフスプリングの取付構造Ａにおいては、カシメ固定などによってリーフスプリング１の一端１ａを回路基板２やコネクタ３側を向く筐体４の内面４ａ側に固着している。このため、筐体４を所定位置に設置し、他端１ｂ側がコネクタ３に接触してリーフスプリング１が弾性変形すると、このリーフスプリング１の弾性変形によって筐体４の内面４ａから一端１ａ側を離す方向の力Ｆが作用する。これにより、リーフスプリング１が筐体４から外れてしまうおそれがあった。
【０００６】
上記事情に鑑み、本発明は、リーフスプリングの一端が筐体から外れることを防止でき、好適に電磁シールドを形成することを可能にするリーフスプリングの取付構造を提供することを目的とする。
【課題を解決するための手段】
【０００７】
本発明のリーフスプリングの取付構造は、遮断対象物を囲繞するように配設された筐体とシールド接続部とを電気的に接続し、電磁シールドを形成するためのリーフスプリングの取付構造であって、前記筐体の前記遮断対象物側の内面から外面に貫通形成されたリーフスプリング挿通孔と、前記リーフスプリングとを備え、前記リーフスプリングが、該リーフスプリングの一端を形成し、前記筐体の外面に固着される固定部と、前記固定部に繋がり、前記リーフスプリング挿通孔を通じて前記筐体の外面側から内面側に延設される挿通部と、前記挿通部に繋がり、前記筐体の内面に当接する当接部と、前記当接部に繋がり、前記シールド接続部に向けて延設される延出部と、前記延出部に繋がって該リーフスプリングの他端を形成するとともに前記シールド接続部に当接する接触部とを備えて形成され、前記シールド接続部に前記接触部が当接すると、前記筐体の内面に当接した前記当接部が支点となって前記接触部及び前記延出部が弾性変形するように構成されていることを特徴とする。
【０００８】
また、本発明のリーフスプリングの取付構造においては、前記シールド接続部に前記接触部が当接して前記リーフスプリングが弾性変形するとともに、前記弾性変形に伴って前記固定部に、該固定部を前記筐体に押圧する方向の力が作用するように構成されていることが望ましい。
【０００９】
さらに、本発明のリーフスプリングの取付構造においては、前記シールド接続部に前記接触部が当接する前の状態で前記当接部と前記筐体の内面との間に隙間が設けられ、前記隙間は、前記シールド接続部に前記接触部が当接して弾性変形する弾性変形量よりも小さな寸法で設定されていることがより望ましい。
【００１０】
また、本発明のリーフスプリングの取付構造においては、前記固定部が前記リーフスプリング挿通孔よりも大きく形成されていることがさらに望ましい。
【００１１】
さらに、本発明のリーフスプリングの取付構造においては、前記シールド接続部がコネクタであることが望ましい。
【００１２】
また、本発明のリーフスプリングの取付構造においては、前記リーフスプリングがステンレス又はりん青銅を用いて形成されていることがより望ましい。
【発明の効果】
【００１３】
本発明のリーフスプリングの取付構造においては、リーフスプリングの他端側の接触部がシールド接続部に当接するとリーフスプリングが弾性変形し、これに伴いリーフスプリングの一端側の固定部に力が作用する。そして、このとき、固定部がリーフスプリング挿通孔を通じて筐体の外面（背面）側に固着されている。このため、固定部に筐体の外面に密着させるように固定部に力を作用させることができる。
【００１４】
これにより、従来のようにリーフスプリングの一端側（固定部）が筐体の内面から外れてしまうことがなく、確実且つ好適に筐体とシールド接続部を電気的に接続した状態で保持することが可能になる。すなわち、本実施形態のリーフスプリングの取付構造によれば、信頼性の高いＥＭＩ対策を実現することが可能になる。
【図面の簡単な説明】
【００１５】
【図１】本発明の一実施形態に係るリーフスプリングの取付構造を備えた画像表示装置を示す正面側から見た斜視図である。
【図２】本発明の一実施形態に係るリーフスプリングの取付構造を備えた画像表示装置を示す背面側から見た斜視図である。
【図３】本発明の一実施形態に係るリーフスプリングの取付構造を備えた画像表示装置の分解斜視図である。
【図４】本発明の一実施形態に係るリーフスプリングの取付構造、シールド板金（筐体）を示す斜視図である。
【図５】本発明の一実施形態に係るリーフスプリングの取付構造を示す側断面図である。
【図６】図５のＸ１−Ｘ１線矢視図である。
【図７】本発明の一実施形態に係るリーフスプリングの取付構造を示す側断面図である。
【図８】本発明の一実施形態に係るリーフスプリングを示す斜視図である。
【図９】従来のリーフスプリングの取付構造を示す図である。
【発明を実施するための形態】
【００１６】
以下、図１から図８を参照し、本発明の一実施形態に係るリーフスプリングの取付構造について説明する。
【００１７】
本実施形態のリーフスプリングの取付構造は、液晶テレビなどの画像表示装置に具備され、ＥＭＩ機能を付与する（電磁シールドを形成する）ためのものである。
【００１８】
具体的に、まず、本実施形態の画像表示装置５は、図１から図４に示すように、表面側に表示面６を備え、背面側にメイン基板（回路基板：遮断対象物）２などを一体に取り付けた表示装置部７と、表示装置部７の背面側にメイン基板２を囲繞するように取り付けられるシールド板金（筐体）８と、シールド板金８を内包するように表示装置部７に一体に取り付けられて画像表示装置５の背面側を形成するバックカバー１６とを備えて構成されている。
【００１９】
また、図３から図７に示すように、シールド板金８には、所定位置に一端９ａ側をシールド板金８に固着してリーフスプリング９が取り付けられている。そして、このリーフスプリング９は、表示装置部７の背面側にメイン基板２を囲繞するようにシールド板金８を所定位置に配設するとともに他端９ｂ側がメイン基板２に設けられたコネクタ（シールド接続部）３の表面に当接するように配設されている。
【００２０】
一方、本実施形態のリーフスプリングの取付構造Ｂは、シールド板金８の所定位置に内面８ａから背面（外面）８ｂに貫通形成されたリーフスプリング挿通孔１０と、リーフスプリング９とを備えて構成されている。
【００２１】
また、本実施形態のリーフスプリング９は、金属製で弾性変形可能に形成したものであり、図５から図８に示すように、リーフスプリング９の一端９ａを形成し、カシメ固定などによってシールド板金８の背面８ｂに面接触しつつ固着される略平板状の固定部１１と、固定部１１に繋がり、リーフスプリング挿通孔１０を通じてシールド板金８の背面８ｂ側から内面８ａ側に延設される挿通部１２と、挿通部１２に繋がり、シールド板金８の内面８ａに当接するように配設される当接部１３と、当接部１３に繋がり、コネクタ３の表面側に向けて延設される延出部１４と、延出部１４に繋がってリーフスプリング９の他端９ｂを形成するとともにコネクタ３の表面に当接する接触部１５とを備えて構成されている。
【００２２】
また、固定部１１は、シールド板金８に形成したリーフスプリング挿通孔１０よりも大きな寸法（例えば幅寸法）を備えて形成されている。
【００２３】
次に、上記構成からなる本実施形態のリーフスプリング９を取り付ける際には、接触部１５、延出部１４、当接部１３、挿通部１２の順にシールド板金８の背面８ｂ側からリーフスプリング挿通孔１０にリーフスプリング９を挿通する。
【００２４】
このとき、固定部１１がリーフスプリング挿通孔１０よりも大きな寸法で形成されているため、リーフスプリング挿通孔１０に接触部１５、延出部１４、当接部１３、挿通部１２を挿通させた状態で固定部１１が係止され、リーフスプリング９が落下するようなことを防止できる。
【００２５】
そして、シールド板金８の背面８ｂに固定部１１を面接触させ、カシメ固定などによってこの固定部１１をシールド板金８の背面８ｂ側（シャーシ）に固着する。また、固定部１１を取り付けると、シールド板金８とリーフスプリング９が電気的に接続される。
【００２６】
図３、図５、図７に示すように、リーフスプリング９を取り付けた状態でシールド板金８を表示装置部７に取り付けると、リーフスプリング挿通孔１０からシールド板金８の内面８ａ側に突出／延出した延出部１４に繋がってリーフスプリング９の他端９ｂを形成する接触部１５がコネクタ３の表面に当接する。また、コネクタ３に接触部１５が押圧されると、当接部１３がシールド板金８の内面８ａに当接し、この当接部１３が支点となって延出部１４及び接触部１５が弾性変形する。
【００２７】
これにより、コネクタ３の表面にリーフスプリング９の当接部１３が弾性力で押圧され、確実にリーフスプリング９を通じてコネクタ３とシールド板金８が電気的に接続することになる。
【００２８】
さらに、このようにリーフスプリング９が配設された際には、リーフスプリング９の弾性変形に伴い、シールド板金８に固定した固定部１１に力Ｆが作用することになる。
【００２９】
これに対し、本実施形態のリーフスプリングの取付構造Ｂにおいては、リーフスプリング９の当接部１３がシールド板金８の内面８ａに当接し、且つ固定部１１がリーフスプリング挿通孔１０を通じてシールド板金８の背面８ｂ側に固着されている。
【００３０】
これにより、当接部１３がシールド板金８の内面８ａに当接して支点になるとともに、シールド板金８の背面８ｂに固定部１１を密着させるように力Ｆが作用することになる。
【００３１】
よって、本実施形態のリーフスプリングの取付構造Ｂにおいては、従来のようにリーフスプリングの固定部がシールド板金８から外れることがなく、確実且つ好適にシールド板金８とコネクタ３を電気的に接続した状態を保持することが可能になる。すなわち、本実施形態のリーフスプリングの取付構造Ｂによれば、信頼性の高いＥＭＩ対策を実現することが可能になる。
【００３２】
ここで、本実施形態では、リーフスプリング９の固定部１１をシールド板金８の背面８ｂに固着した状態で（コネクタ３に接触部１３が当接する前の状態で）、当接部１３とシールド板金８の内面８ａとの間に隙間が形成されるようにしている。そして、この隙間は、コネクタ３に接触部１５が当接して弾性変形するリーフスプリング９の弾性変形量よりも小さな寸法で設定されている。
【００３３】
これにより、リーフスプリング９の弾性変形に伴い、確実に当接部１３がシールド板金８の内面８ａに当接し、この部分を支点として、リーフスプリング９を好適に弾性変形させることが可能になる。また、確実に当接部１３がシールド板金８の内面８ａに当接し、この部分を支点にできることで、固定部１１に、この固定部１１をシールド板金８の背面８ｂ  に押圧させる方向の力を作用させることができる。
【００３４】
また、リーフスプリング９はステンレス又はりん青銅を用いて形成されていることが好ましい。このようなステンレス又はりん青銅を用いてリーフスプリング９を形成すると、好適な電磁シールド効果を得ることができる。
【００３５】
以上、本発明に係るリーフスプリングの取付構造の一実施形態について説明したが、本発明は上記の実施形態に限定されるものではなく、その趣旨を逸脱しない範囲で適宜変更可能である。
【００３６】
例えば、本実施形態では、遮断対象物が画像表示装置５の回路基板２であるものとしたが、勿論、本発明に係るリーフスプリングの取付構造の適用対象、遮断対象物をこれら画像表示装置５、回路基板２に限定する必要はない。
【符号の説明】
【００３７】
１      従来のリーフスプリング
１ａ    一端
１ｂ    他端
２      回路基板、メイン基板
３      コネクタ（シールド接続部）
４      従来の筐体
４ａ    内面
５      画像表示装置
６      表示面
７      表示装置部
８      シールド板金（筐体）
９      リーフスプリング
９ａ    一端
９ｂ    他端
１０    リーフスプリング挿通孔
１１    固定部
１２    挿通部
１３    当接部
１４    延出部
１５    接触部
１６    バックカバー
Ａ      従来のリーフスプリングの取付構造
Ｂ      リーフスプリングの取付構造
Ｆ      力
【図１】
2016186981.tif 000003
【図２】
2016186981.tif 000004
【図３】
2016186981.tif 000005
【図４】
2016186981.tif 000006
【図５】
2016186981.tif 000007
【図６】
2016186981.tif 000008
【図７】
2016186981.tif 000009
【図８】
2016186981.tif 000010
【図９】
2016186981.tif 000011